(57)【要約】【課題】  水の抵抗を弱くすることが出来る電動サーフボードを提供する。【解決手段】  前後方向に延伸してなるサーフボードと、該サーフボードに内蔵する駆動装置とを備えてなる。【選択図】  図３
2008174209.tif 000002
【特許請求の範囲】
【請求項１】
前後方向に延伸してなるサーフボードと、該サーフボードに内蔵する駆動装置とを備えてなる電動サーフボード。
【請求項２】
前後方向に延伸し、その後端部の底面に水を取り入れるよう内部へ凹陥した導流部が設けられ、該導流部の前側に内部収容空間が設けられたサーフボードと、該サーフボードに内蔵する駆動装置とを備えてなる電動サーフボードであって、
前記駆動装置は、前記内部収容空間内に収容される電源手段及び駆動手段と、前記駆動手段に取り付けられて前記内部収容空間から前記導流部に突出し、前記駆動手段より回転駆動される伝動ロッドと、前記導流部に配置されるように前記伝動ロッドに取り付けられ、前記伝動ロッドの伝動により前記駆動手段に回転駆動されるプロペラとを有していることを特徴とする電動サーフボード。
【請求項３】
前記駆動手段の作動を制御する制御手段と、前記制御手段を操作する操作ボタンを有するグリップとを更に有することを特徴とする請求項２に記載の電動サーフボード。
【請求項４】
前記サーフボードに固定される横バーと、該横バーの両端にそれぞれ取り付けられる一対の浮き補助手段とからなるバランス補助手段を更に有することを特徴とする請求項２に記載の電動サーフボード。
【請求項５】
前記サーフボードの前端部から上方に延伸すると共に後方へ曲がるように形成されるヘッドバーと、該ヘッドバーの先端から両側へ延伸してなるハンドバーとを備えてなるハンドルを更に有することを特徴とする請求項２に記載の電動サーフボード。
【請求項６】
マストを更に有することを特徴とする請求項２に記載の電動サーフボード。
【請求項７】
前記サーフボードの底面における前記導流部の両側に突設される一対のスポイラを更に有することを特徴とする請求項２に記載の電動サーフボード。
【請求項８】
前記サーフボードの底面に水を取り入れて前記駆動装置を冷却する冷却用流道を更に有することを特徴とする請求項２に記載の電動サーフボード。
【発明の詳細な説明】
【技術分野】
【０００１】
本発明は、電動サーフボードに関し、特に、水の抵抗を弱くすることが出来る電動サーフボードに関する。
【背景技術】
【０００２】
図１に示すのは従来の電動サーフボード１００であり、図１に示すように、電動サーフボード１００はサーフボード１１の後端部に推進器１２を取付けてなるものであり、推進器１２はモータ部１２１と、プロペラ部１２２と、コントローラ部１２３とを有しており、使用者はサーフボード１１上に立ちながら、片手で推進器１２のコントローラ部１２３を握って操作し、サーフボード１１は水中のモータ部１２１により回転駆動されるプロペラ部１２２の回転によって前進する。
【特許文献１】台湾特許出願第９３２０２６３５号
【発明の開示】
【発明が解決しようとする課題】
【０００３】
しかし、上記構成を有する従来の電動サーフボード１００が前進すると、水の抵抗はサーフボード１１と推進器１２それぞれに掛かるが、推進器１２はサーフボード１１の後端部に取り付けられて両者は一つの流線型に形成されてないため、水の抵抗を上手く打ち消すことは出来ない。
【０００４】
したがって、本発明は、水の抵抗を弱くすることが出来る電動サーフボードを提供することを目的とする。
【課題を解決するための手段】
【０００５】
上記目的を達成するために、本発明は前後方向に延伸してなるサーフボードと、該サーフボードに内蔵する駆動装置とを備えてなる電動サーフボードを提供する。
【０００６】
特に、本発明は前後方向に延伸し、その後端部の底面に水を取り入れるよう内部へ凹陥した導流部が設けられ、該導流部の前側に内部収容空間が設けられるサーフボードと、該サーフボードに内蔵する駆動装置とを備えてなる電動サーフボードであって、前記駆動装置は、前記内部収容空間内に収容される電源手段及び駆動手段と、前記駆動手段に取り付けられて前記内部収容空間から前記導流部に突出し、前記駆動手段より回転駆動される伝動ロッドと、前記導流部に配置されるように前記伝動ロッドに取り付けられ、前記伝動ロッドの伝動により前記駆動手段に回転駆動されるプロペラを有していることを特徴とする電動サーフボードを提供する。
【０００７】
上記電動サーフボードは、前記駆動手段の作動を制御する制御手段と、前記制御手段を操作する操作ボタンを有するグリップとを更に有するように構成することが好ましい。
【０００８】
上記電動サーフボードは、前記サーフボードに固定される横バーと、該横バーの両端にそれぞれ取り付けられる一対の浮き補助手段とからなるバランス補助手段を更に有するように構成することができる。
【０００９】
上記電動サーフボードは、前記サーフボードの前端部から上方に延伸すると共に後方へ曲がるように形成されたヘッドバーと、該ヘッドバーの先端から両側へ延伸してなるハンドバーとを備えてなるハンドルを更に有するように構成することができる。
【００１０】
上記電動サーフボードは、マストを更に有するように構成することもできる。
上記電動サーフボードは、前記サーフボードの底面における前記導流部の両側に突設される一対のスポイラを更に有するように構成することもできる。
上記電動サーフボードは、前記サーフボードの底面に水を取り入れて前記駆動装置を冷却する冷却用流道を更に有するように構成することが好ましい。
【発明の効果】
【００１１】
上記構成によれば、本発明は駆動装置をサーフボードに内蔵するので、従来のようにサーフボードを抵抗が少ない流線型に形成すれば、水の抵抗を上手く打ち消す電動サーフボードを提供することができる。
【発明を実施するための最良の形態】
【００１２】
以下は図示を参照して本発明の電動サーフボードの各実施形態について説明する。
【００１３】
図２〜図４に示すのは本発明の電動サーフボードの第１の実施形態であり、各実施形態において、構成が最も単純な実施形態でもある。図２に示すのは上方から見る第１の実施形態の電動サーフボードの斜視図であり、図３に示すのはその分解図で、図４に示すのは下方から見る斜視図である。図２に示すように、その電動サーフボードは前後方向に延伸してなるサーフボード本体２と、該サーフボード本体に内蔵する駆動装置３と、駆動装置３と電気コード４５を介して電気的に接続している操作ボタン４３が取り付けられているグリップ４４とを備えている。また、図４に示すようにサーフボード本体２の底面には駆動装置３を冷却するための進水口２４が設けられている。
【００１４】
図３をも合わせて参照してみると、サーフボード本体２は前後方向に延伸して流線型に形成されており、その後端部の底面には水を取り入れるように内部へ凹陥した導流部２１が設けられ、該導流部２１にはプロペラ３４を補助固定するプロペラフレーム２１１が取り付けられており、その前側には駆動装置３を収容する内部収容空間２２と、蓋として内部収容空間２２を覆う蓋体２３と有している。内部収容空間２２内に収容されている駆動装置３は駆動手段としてのモータ３１と、電源手段としてモータ３１に電力と提供する電池３２と、モータ３１及び電池３２と電気的に接続してモータ３１の作動を制御する制御手段３３とを有している。また、前記電気コード４５は制御手段３３と電気的に接続している。モータ３１は伝動ロッド３１１を介して内部収容空間２２から導流部２１まで突出して導流部２１に配置されるプロペラ３４と接続し、プロペラ３４を回転駆動して電動サーフボードを前進させることができる。
【００１５】
図５に示すのは本発明の電動サーフボードの第２の実施形態であり、図示のように、第２の実施形態は第１の実施形態の電動サーフボードに、サーフボード本体２の略中段部に取り付けられる横バー５１と、該横バー５１両端にそれぞれ取り付けられている中空円筒状のサポータ（浮き補助手段）５２、５２とを備えたバランスユニット５を取り付けてなるものである。
【００１６】
このように構成することによって、本発明の電動サーフボードはバランスを保ちやすく、サーフィンの初心者でも簡単にサーフィンを楽しむことができる。
【００１７】
図６に示すのは本発明の電動サーフボードの第３の実施形態であり、図示のように、第３の実施形態は第１の実施形態の電動サーフボードのサーフボード本体２の前端部に、上方に延伸すると共に後方へ曲がるように形成してなるヘッドバー６１と、該ヘッドバー６１の先端から両側へ延伸してなるハンドバー６２とを備えてなるハンドル６を設けてなるものである。そして、この実施形態において、操作ボタン４３を有するグリップ４６はハンドバー６２に取り付けられている。
このように構成することによって、本発明の電動サーフボードはバランスを保ちやすく、バイクのような操縦感覚でサーフィンを楽しむことができる。
【００１８】
図７に示すのは本発明の電動サーフボードの第４の実施形態であり、図示のように、第４の実施形態は第１の実施形態の電動サーフボードにマストフレーム７１とマスト７２を有するマストユニット７を更に備えてなるものである。そして、この実施形態において、操作ボタン４３を有するグリップ４７は電気コードの替わりに無線通信（例えばブルートゥースなど）を介して制御手段３３と制御信号を交わしている。
このように構成することによって、ウィンドサーフィンでも本発明の電動サーフボードを利用することができる。
【００１９】
図８、図９に示すのは本発明の電動サーフボードの第５の実施形態であり、図示のように、第５の実施形態と第１の実施形態の違いは、モータ３１と伝動ロッド３１１の間にユニバーサルコネクタ３１２を介設することと、サーフボード本体２の底面にある導流部２１の両側に突設される一対のスポイラ８１、８１を設けることにある。ユニバーサルコネクタ３１２をモータ３１と伝動ロッド３１１の間に介設することによって、モータ３１と伝動ロッド３１１それぞれの回転軸にズレがあってもプロペラ３４をスムーズに回転駆動することができる。また、スポイラ８１、８１を設けることによって、サーフボード本体２に対する水の抵抗力を弱めることが出来る。
【産業上の利用可能性】
【００２０】
上記構成によると、本発明は駆動装置をサーフボード本体内に内蔵することによって、前進する時の水による抵抗を弱くすることが出来る電動サーフボードを提供することができる。
【図面の簡単な説明】
【００２１】
【図１】従来の電動サーフボードの構成の一例を示す側面図である。
【図２】本発明の電動サーフボードの第１の実施形態の構成を示す斜視図である。
【図３】同実施形態の構成を示す分解斜視図である。
【図４】同実施形態の構成を示す斜視図である。
【図５】本発明の電動サーフボードの第２の実施形態の構成を示す斜視図である。
【図６】本発明の電動サーフボードの第３の実施形態の構成を示す斜視図である。
【図７】本発明の電動サーフボードの第４の実施形態の構成を示す斜視図である。
【図８】本発明の電動サーフボードの第５の実施形態の構成を示す斜視図である。
【図９】同実施形態の構成を示す分解斜視図である。
【符号の説明】
【００２２】
２        サーフボード本体
３        駆動装置
５        バランスユニット
６        ハンドル
７        マストユニット
２１      導流部
２２      内部収容空間
２３      蓋体
２４      進水口
３１      モータ
３２      電池
３３      制御手段
３４      プロペラ
４３      操作ボタン
４４      グリップ
４５      電気コード
４６      グリップ
４７      グリップ
５１      横バー
５２      サポータ（浮き補助手段）
６１      ヘッドバー
６２      ハンドバー
７１      マストフレーム
７２      マスト
８１      スポイラ
２１１    プロペラフレーム
３１１    伝動ロッド
３１２    ユニバーサルコネクタ
【図１】
2008174209.tif 000003
【図２】
2008174209.tif 000004
【図３】
2008174209.tif 000005
【図４】
2008174209.tif 000006
【図５】
2008174209.tif 000007
【図６】
2008174209.tif 000008
【図７】
2008174209.tif 000009
【図８】
2008174209.tif 000010
【図９】
2008174209.tif 000011